(57)【要約】【課題】  フォーマー費用並びにフォーマー周りの組立工数が増加する。【解決手段】  碗形状をしたヨーク２と、ヨーク２の内部に順次積層される板状の磁石３およびトッププレート４から構成される磁気回路１と、磁気回路１のヨーク２の側壁の内周部とトッププレート４の外周部との間に形成される空隙内に配置されるボイスコイル５と、磁気回路１の前方でボイスコイル５を保持するサブパネル９と、サブパネル９の周辺に保持され、磁気回路１を保持するダンパー６とを備えた磁気駆動型アクチュエーターであって、磁気回路１を保持するダンパー６に壁部６ａを設け、この壁部６ａにボイスコイル５を配設すると共に、ダンパー６をボイスコイル５の内側に配置し、その貫通穴６ｃ部を接着剤８で、磁気回路１のトッププレート４上に接着・固定する。フォーマーを廃止による部品点数の減少、フォーマー周りの組立工数が削減され、コストが低減できる。【選択図】  図２
2006094073.tif 000002
【特許請求の範囲】
【請求項１】
碗形状をしたヨークと、該ヨークの内部に順次積層される板状の磁石およびトッププレートから構成される磁気回路と、該磁気回路のヨークの側壁の内周部とトッププレートの外周部との間に形成される空隙内に配置されるボイスコイルと、前記磁気回路の前方でボイスコイルを保持するサブパネルと、該サブパネルの周辺に保持され、前記磁気回路を保持するダンパーとを備えた磁気駆動型アクチュエーターにおいて、前記磁気回路を保持するダンパーに壁部を設け、該ダンパーの壁部にボイスコイルを配設すると共に、ダンパーをボイスコイルの内側に配置し、前記磁気回路のトッププレート上に接着・固定したことを特徴とする磁気駆動型アクチュエーター。
【請求項２】
前記ダンパーをトッププレート上に接着・固定するのに、ダンパーの中央部に形成された１個または複数個の貫通穴を通して面接着によって固定されていることを特徴とする請求項１記載の磁気駆動型アクチュエーター。
【請求項３】
前記貫通穴の形状は、長穴または略円形穴であることを特徴とする請求項２記載の磁気駆動型アクチュエーター。
【請求項４】
前記ダンパーの壁部の先端部を外側に曲げて、ボイスコイルの保持・位置決め部を形成したことを特徴とする請求項１記載の磁気駆動型アクチュエーター。
【請求項５】
前記ボイスコイルの端末処理は、リードワイヤにより、前記ダンパーの壁部の半田付け部と基板の半田付け部とを電気的に接続・固定したことを特徴とする請求項１記載の磁気駆動型アクチュエーター。
【発明の詳細な説明】
【技術分野】
【０００１】
本発明は、携帯電話などの移動通信機器に組み込まれ、パネルを振動させることにより、着信音や拡声により着信音を知らせ、また着信音（音声等）の再生に係わる磁気駆動型アクチュエーターに関する。
【背景技術】
【０００２】
従来、パソコン、携帯電話など各種の電子機器に、各種の情報を音声出力するためのスピーカが配設されている。最近、これらの電子機器の小型化に伴い、これに併設されるスピーカの小型化と高効率化が必要とされる。このようなパネル型スピーカが提案されている。（例えば、特許文献１参照）
【特許文献１】特開２００３−１４３６９０号（第３頁、図１）
【０００３】
上記した特許文献１に開示されているパネル型スピーカの構造は、図５〜図８において、このパネル型スピーカの磁気回路２０は、略碗形状をしたヨーク（アウターヨーク）２１と、該ヨーク２１の内部に順次積み重ねられる平板状の磁石２２およびトッププレート（インナーヨーク）２３から構成される。そして、この磁気回路２０と、ヨーク２１の側壁の内周部と平板状のトッププレート２３の外周部との間に形成される空隙（ギャップ）内にボイスコイル２４を配設する。磁気回路２０のギャップ内にボイスコイル２４を落とし込むのに、樹脂管や紙管よりなるフォーマー２５にボイスコイル２４を巻線または接着にて固定してフォーマー周りの組立を行うものである。前記フォーマー２５は磁気回路２０の前方に配置されているサブパネル２６に接着にて固定される。また、前記磁気回路２０とサブパネル２６は、薄い金属板で構成されるダンパー（弾性支持体）２７を介して接続する。前記ダンパー２７とヨーク２１とは、その外周縁部において、接着剤２８で接着・固定されている。前記ボイスコイル２４の端末はスピーカ用のリードワイヤである錦糸線２９により、フォーマー２５の半田付け部２５ａと、基板３０の半田付け部（パターン）３０ａとを半田３１で接続・固定する。以上述べた構成のパネル型スピーカは、前記サブパネル２６の前面に両面テープ３２等により、電子機器、例えば、携帯電話等の液晶画面全面のアクリル板などのパネル３３に貼付する。ボイスコイル２４の振動がサブパネル２６に伝達され、このサブパネル２６から電子機器のパネル３３に伝達される。
【発明の開示】
【発明が解決しようとする課題】
【０００４】
解決しようとする問題点は、上記した特許文献１に開示したパネル型スピーカの構造において、ボイスコイルを磁気回路のギャップ内に落とし込むために、フォーマーと呼ばれる樹脂管や紙管にボイスコイルを固定する。そのためフォーマーの部品費用並びに、フォーマー周りの組立工数が増加し、コストアップになる。などの問題があった。
【０００５】
本発明は、上述の欠点を解消するもので、その目的は、ダンパー部にボイスコイルを巻き付けることにより、フォーマーを廃止する。従って、フォーマー組み込み周りの工数が削減される。簡略化構造により品質が安定する。信頼性に優れた、安価な磁気駆動型アクチュエーターを提供するものである。
【課題を解決するための手段】
【０００６】
上記目的を達成するために、本発明における磁気駆動型アクチュエーターは、碗形状をしたヨークと、該ヨークの内部に順次積層される板状の磁石およびトッププレートから構成される磁気回路と、該磁気回路のヨークの側壁の内周部とトッププレートの外周部との間に形成される空隙内に配置されるボイスコイルと、前記磁気回路の前方でボイスコイルを保持するサブパネルと、該サブパネルの周辺に保持され、前記磁気回路を保持するダンパーとを備えた磁気駆動型アクチュエーターにおいて、前記磁気回路を保持するダンパーに壁部を設け、該ダンパーの壁部にボイスコイルを配設すると共に、ダンパーを前記ボイスコイルの内側に配置し、磁気回路のトッププレート上に接着・固定したことを特徴とするものである。
【０００７】
また、前記ダンパーをトッププレート上に接着・固定するのに、ダンパーの中央部に形成された１個または複数個の貫通穴を通して面接着によって固定されていることを特徴とするものである。
【０００８】
また、前記貫通穴の形状は、長穴または略円形穴であることを特徴とするものである。
【０００９】
また、前記ダンパーの壁部の先端部を外側に曲げて、ボイスコイルの保持・位置決め部を形成したことを特徴とするものである。
【００１０】
また、前記ボイスコイルの端末処理は、リードワイヤにより、前記ダンパーの壁部の半田付け部と基板の半田付け部とを電気的に接続・固定したことを特徴とするものである。
【発明の効果】
【００１１】
本発明の磁気駆動型アクチュエーターは、フォーマーを廃止することにより、部品点数が減少による、工数およびコストが削減される。また、設計の自由導電パターンが増大する。さらに、簡略化構造により製品の品質が安定化する。など信頼性に優れた安価な磁気駆動型アクチュエーターを提供することができる。
【発明を実施するための最良の形態】
【００１２】
本発明の磁気駆動型アクチュエーターについて、図面に基づいて説明する。
【実施例】
【００１３】
図１〜図４は、本発明の実施例に係わり、図１は、磁気駆動型アクチュエーターの平面図、図２は、図１のＡ−Ａ線断面図、図３は、図１のＢ−Ｂ線断面図、図４（ａ）は、ダンパーにボイスコイルを巻く状態を示す説明図、図４（ｂ）は図４（ａ）の巻き付け状態を示す部分拡大図である。
【００１４】
図１〜図３において、従来例と同様に、この磁気駆動型アクチュエーター（パネル型スピーカ）の磁気回路１は、略碗形状をしたヨーク２と、該ヨーク２の内部に順次積み重ねられる平板状の磁石３およびトッププレート４から構成される。そして、この磁気回路１と、ヨーク２の側壁の内周部と平板状のトッププレート４の外周部との間に形成される空隙（ギャップ）内にボイスコイル５を配設するのに、前記磁気回路１を保持する薄い金属板で構成されるダンパー６にボイスコイル５を巻き付けるための壁部６ａを設ける。
【００１５】
前記ダンパー６の壁部６ａにボイスコイル５を巻き付けるのに、図４に示すように、ダンパー６が嵌合する表面形状を有する巻き冶具７にダンパー６を被せ、ダンパー６の壁部６ａに、ボイスコイル５を所定の巻数捲回することにより、ダンパー６はボイスコイル５の内側に配置される。前記ダンパー６の壁部６ａの先端部の形状は、図４（ｂ）に示すように、先端部を外側に曲げて、ボイスコイル５の保持・位置決め部６ｄを形成する。ボイスコイル５の捲回を容易にする機能を持たせる。
【００１６】
また、前記ダンパー６の壁部６ａにボイスコイル５を巻き付ける代わりに、空芯コイルの形状に成形したボイルコイル５を、前記ダンパー６の壁部６ａに落とし込むようにする際に、前記先端部の保持・位置決め部６ｄはストッパーとしての機能を有するものである。
【００１７】
このようにしてできたコイル付きダンパー６のボスコイル５を、磁気回路１のギャップ内に落とし込むと同時に、ダンパー６の中央部に長穴または略円形穴に形成された１個または複数個の貫通穴６ｃを通して面接着によって、トッププレート４上に接着剤８で接着・固定する。前記貫通穴６ｃへの接着剤の供給量の管理が容易であり、接着力が安定する。前記ダンパー６の壁部６ａに、従来例のフォーマーの機能を持たせたものである。
【００１８】
前記ボイスコイル５は、磁気回路１の前方に配置されサブパネル９にダンパー６を介して接続される。前記ボイスコイル５の端末処理はスピーカ用のリードワイヤである錦糸線１０により、ダンパー６の半田付け部６ｂと、基板１１の半田付け部（パターン）１１ａとを半田１２で接続・固定する。前記サブパネル９の下面側で、磁気回路１を囲むようにして防塵機能を有する背面メッシュ１３を保持させる構成になっている。以上述べた構成の磁気駆動型アクチュエーターは、前記サブパネル９の前面に両面テープ１４等により、電子機器、例えば、携帯電話等の液晶画面全面のアクリル板などのパネル１５に貼付する。
【００１９】
以上述べた構成の磁気駆動型アクチュエーターの作用・効果について説明する。本発明の磁気駆動型アクチュエーターは、ダンパー６の壁部６ａが従来例のフォーマ−の機能を有し、安定して磁気回路１のギャップ内にボイスコイル５を配置できる。ボイスコイル５の振動がサブパネル９に伝達され、このサブパネル９から電子機器のパネル１５に伝達される。従来のフォーマーが廃止できるので、部品費用と同時に、フォーマーの組み込み工数も削減できる。構造も簡素化され、製造コストも削減できる。
【図面の簡単な説明】
【００２０】
【図１】本発明の実施例に係わる磁気駆動型アクチュエーターの平面図である。
【図２】図１の磁気駆動型アクチュエーターのＡ−Ａ線側面図である。
【図３】図１の磁気駆動型アクチュエーターのＢ−Ｂ線側面図である。
【図４】図４（ａ）は、ダンパーにボイスコイルを巻く状態を示す説明図、図４（ｂ）は図４（ａ）の巻き付け状態を示す部分拡大図である。
【図５】従来のパネル型スピーカの平面図である。
【図６】図５のＡ−Ａ線断面図である。
【図７】図５の背面図である。
【図８】図５のＢ−Ｂ線側面図である。
【符号の説明】
【００２１】
１  磁気回路
２  ヨーク
３  磁石
４  トッププレート
５  ボイスコイル
６  ダンパー
６ａ  壁部
６ｂ  ダンパーの半田付け部
６ｃ  貫通穴
６ｄ  保持・位置決め部
７  巻き冶具
８  接着剤
９  サブパネル
１０  錦糸線
１１  基板
１１ａ  基板の半田付け部
１２  半田
１３  背面メッシュ
【図１】
2006094073.tif 000003
【図２】
2006094073.tif 000004
【図３】
2006094073.tif 000005
【図４】
2006094073.tif 000006
【図５】
2006094073.tif 000007
【図６】
2006094073.tif 000008
【図７】
2006094073.tif 000009
【図８】
2006094073.tif 000010